(57)【要約】【課題】音量調整操作が音量増加を指示するものであるか、音量減少を指示するものであるかに応じて出力音量値に関する情報等の表示時間を変更する。【解決手段】画像表示装置２０と、音声出力装置４０と、音量調整操作装置３０とに接続される信号処理装置１０を、音量調整操作装置を介して行われた音量調整操作に関する操作信号が入力される音量調整操作信号入力部１５と、音量調整操作信号入力部に入力された操作信号に対応する出力音量値に関する情報が前記画像信号に基づく画像とともに表示されるように画像信号に対して信号処理を施す信号処理部１１ａと、音量調整操作信号入力部に入力された操作信号が出力音量値の増加指示であるか、音量減少指示であるかに応じて、出力音量値に関する情報を画像表示装置２０に表示させる時間を変化させる制御部１５と、を備える構成とする。【選択図】図４
2009058845.tif 000002
【特許請求の範囲】
【請求項１】
入力された画像信号に基づく画像を表示する画像表示装置と、入力された音声信号に基づく音声を出力する音声出力装置と、操作者により前記音声が出力される際の音量調整操作が行われる音量調整操作装置と、に接続される信号処理装置であって、
前記音量調整操作装置を介して行われた音量調整操作に関する操作信号が入力される音量調整操作信号入力部と、
前記音量調整操作信号入力部に前記操作信号が入力された際に、前記操作信号に対応する出力音量値に関する情報が前記画像信号に基づく画像とともに前記画像表示装置に表示されるように前記画像信号に対して信号処理を施す信号処理部と、
前記音量調整操作信号入力部に入力された前記操作信号が前記音量出力装置における出力音量値の増加指示であるか、音量減少指示であるかに応じて、前記出力音量値に関する情報を前記画像表示装置に表示させる時間を変化させる制御部と、
を備えることを特徴とする信号処理装置。
【請求項２】
請求項１記載の信号処理装置において、
前記信号処理部は、前記音量調整操作信号入力部に前記操作信号が入力された際に、前記画像の表示に関する情報が前記画像とともに前記画像表示装置に表示されるように前記画像信号に対して信号処理を施し、
前記制御部は前記操作信号が前記出力音量値の増加指示であるか、音量減少指示であるかに応じて、前記画像の表示に関する情報を前記画像表示装置に表示させる時間を変化させること、
を特徴とする信号処理装置。
【請求項３】
請求項１または２記載の信号処理装置において、
前記信号処理部は、前記音量調整操作信号入力部に前記操作信号が入力された際に、当該信号処理装置の操作メニューに関する情報が前記画像とともに前記画像表示装置に表示されるように前記画像信号に対して信号処理を施し、
前記制御部は前記操作信号が前記出力音量値の増加指示であるか、音量減少指示であるかに応じて、前記操作メニューに関する情報を前記画像表示装置に表示させる時間を変化させること、
を特徴とする信号処理装置。
【請求項４】
請求項１〜３のいずれか一項に記載の信号処理装置において、
前記制御部は前記情報を前記画像表示装置に表示させる時間を、前記操作信号が前記出力音量値の音量減少指示である場合よりも音量増加指示である場合に短くすること、
を特徴とする信号処理装置。
【請求項５】
入力された画像信号に基づく画像を表示する画像表示装置と、入力された音声信号に基づく音声を出力する音声出力装置と、操作者により前記音声が出力される際の音量調整操作が行われる音量調整操作装置と、に接続される信号処理装置を制御するための信号処理装置の制御方法であって、
前記音量調整操作装置を介して行われた音量調整操作に関する操作信号が入力される過程と、
前記音量調整操作信号入力部に前記操作信号が入力された際に、前記操作信号に対応する出力音量値に関する情報が前記画像信号に基づく画像とともに前記画像表示装置に表示されるように前記画像信号に対して信号処理を施す過程と、
前記音量調整操作信号入力部に入力された前記操作信号が前記音量出力装置における出力音量値の増加指示であるか、音量減少指示であるかに応じて、前記出力音量値に関する情報を前記画像表示装置に表示させる時間を変化する過程と、
を備えることを特徴とする信号処理装置の制御方法。
【請求項６】
入力された画像信号に基づく画像を表示する画像表示装置と、入力された音声信号に基づく音声を出力する音声出力装置と、操作者により前記音声が出力される際の音量調整操作が行われる音量調整操作装置と、に接続される信号処理装置を制御するための制御プログラムであって、
前記音量調整操作装置を介して行われた音量調整操作に関する操作信号の入力を受け付けさせ、
前記音量調整操作信号入力部に前記操作信号が入力された際に、前記操作信号に対応する出力音量値に関する情報が前記画像信号に基づく画像とともに前記画像表示装置に表示されるように前記画像信号に対して信号処理を施させ、
前記音量調整操作信号入力部に入力された前記操作信号が前記音量出力装置における出力音量値の増加指示であるか、音量減少指示であるかに応じて、前記出力音量値に関する情報を前記画像表示装置に表示させる時間を変化させること、
を特徴とする制御プログラム。
【発明の詳細な説明】
【技術分野】
【０００１】
本発明は、音量調整操作に伴って再生対象となる画像信号に信号処理を施す信号処理装置、信号処理装置の制御方法および制御プログラムに関する。
【背景技術】
【０００２】
従来から、例えば、テレビジョン受信機等、再生対象信号に含まれる画像信号や音声信号に基づいて画像や音声を再生する再生装置において、テレビ映像等を画面に表示中に、現在受信しているチャンネルや現在の出力音量値等を表す文字、記号、図形等の出力音量値に関する情報を当該画像に重ねて表示することが行われている。このようなスーパーインポーズ機能と、テレビ受信機能等を有するカーナビゲーション装置等も知られている（例えば、特許文献１参照）。
この様なカーナビゲーション装置の中には、ユーザが音量調整操作を行った場合に、ユーザの音量調整操作に連動して各種の操作メニューを出力音量値に関する情報とともに表示させるものもある。
【特許文献１】特開平８−２３７６４３号公報
【発明の開示】
【発明が解決しようとする課題】
【０００３】
ところで、上記の再生装置やカーナビゲーション装置等では、音量を増加させるように音量調整操作を行った場合も、音量を減少させるように音量調整操作を行った場合にも、出力音量値に関する情報等の表示時間は同じであった。
しかしながら、音量が増加するように音量調整操作が行われる場合、ユーザは再生画像や再生音声に関心が高く、再生画像を注視していることが想定される。この様な場合は、再生画像の視認性を低下させる原因となる上記出力音量値に関する情報等の表示時間は短い方が好ましい。一方、音量が減少するように音量調整操作が行われる場合、再生画像や再生音声にはさほど関心を有していない場合が想定される。この様な場合には出力音量値に関する情報等が一定の時間表示されていてもユーザは視認性が阻害されているとは感じにくい。
本発明の課題は、音量調整操作が音量増加を指示するものであるか、音量減少を指示するものであるかに応じて出力音量値に関する情報等の表示時間を変更することのできる信号処理装置、信号処理装置の制御方法および制御プログラムを提供することにある。
【課題を解決するための手段】
【０００４】
上記課題を解決するため、本発明の信号処理装置は、入力された画像信号に基づく画像を表示する画像表示装置と、入力された音声信号に基づく音声を出力する音声出力装置と、操作者により前記音声が出力される際の音量調整操作が行われる音量調整操作装置と、に接続される信号処理装置であって、前記音量調整操作装置を介して行われた音量調整操作に関する操作信号が入力される音量調整操作信号入力部と、前記音量調整操作信号入力部に前記操作信号が入力された際に、前記操作信号に対応する出力音量値に関する情報が前記画像信号に基づく画像とともに前記画像表示装置に表示されるように前記画像信号に対して信号処理を施す信号処理部と、前記音量調整操作信号入力部に入力された前記操作信号が前記音量出力装置における出力音量値の増加指示であるか、音量減少指示であるかに応じて、前記出力音量値に関する情報を前記画像表示装置に表示させる時間を変化させる制御部と、を備えることを特徴とする。
上記構成によれば、信号処理装置は入力された画像信号に基づく画像を表示する画像表示装置と、入力された音声信号に基づく音声を出力する音声出力装置と、操作者により前記音声が出力される際の音量調整操作が行われる音量調整操作装置とに接続されている。音量調整操作信号入力部には音量調整操作装置を介して操作者等により行われた音量調整操作に関する操作信号が入力される。信号処理部は、音量調整操作信号入力部に操作信号が入力された際に、この操作信号に対応する出力音量値に関する情報が画像表示装置に画像信号に基づく画像とともに表示されるように、画像信号に信号処理を施す。制御部は、音量調整操作信号入力部に入力された操作信号が音量出力装置における出力音量値の増加指示であるか、音量減少指示であるかに応じて、出力音量値に関する情報を画像表示装置に表示させる時間を変化させるので、音量増加指示の場合と、音量減少指示の場合とで、出力音量値に関する情報の表示時間を変更させることができる。これにより、例えば、音量増加指示の場合には、表示時間を短くし、音量減少指示の場合には通常の表示時間とすること等により、ユーザが画像表示装置に表示される画像に関心を持っていることが想定される場合には、出力音量値に関する情報の表示時間を短くして、画面に対する視認性が阻害されるのを防止することができる。
ここで、出力音量値に関する情報とは、現在の出力音量値等を表す文字、記号、図形又はこれらの組み合わせなどを指す。
【０００５】
上記構成において、前記信号処理部は、前記音量調整操作信号入力部に前記操作信号が入力された際に、前記画像の表示に関する情報が前記画像とともに前記画像表示装置に表示されるように前記画像信号に対して信号処理を施し、前記制御部は前記操作信号が前記出力音量値の増加指示であるか、音量減少指示であるかに応じて、前記画像の表示に関する情報を前記画像表示装置に表示させる時間を変化させてもよい。
上記構成によれば、信号処理部は音量調整操作信号入力部に操作信号が入力された際に、画像の表示に関する情報を画像とともに画像表示装置に表示されるように画像信号に対して信号処理を施す。制御部は、操作信号が出力音量値の増加指示であるか、音量減少指示であるかに応じて、画像の表示に関する情報を画像表示装置に表示させる時間を変化させるので、音量増加指示の場合と、音量減少指示の場合とで、画像の表示に関する情報の表示時間を変更させることができる。これにより、例えば、音量増加指示の場合には、表示時間を短くし、音量減少指示の場合には通常の表示時間とすること等により、ユーザが画像表示装置に表示される画像に関心を持っていることが想定される場合には、画像の表示に関する情報の表示時間を短くして、画面に対する視認性が阻害されるのを防止することができる。
ここで、画像の表示に関する情報とは、現在画像表示装置に表示されている画像の表示に関する情報であり、具体的には、例えば、画像表示装置に表示されている画像がテレビ放送信号に基づくテレビ映像であった場合に、受信しているチャンネルや受信している番組の番組名等に関する文字、記号、図形又はこれらの組み合わせなどが挙げられる。また、画像表示装置に表示されている画像がＤＶＤ（Digital Versatile Disk）信号に基づくＤＶＤ映像であった場合に、ＤＶＤのタイトルや現在再生されているトラック、再生開始からの経過時間、残りの再生時間等の各種の情報が上記画像の表示に関する情報に含まれる。
【０００６】
また、上記構成において、前記信号処理部は、前記音量調整操作信号入力部に前記操作信号が入力された際に、当該信号処理装置の操作メニューに関する情報が前記画像とともに前記画像表示装置に表示されるように前記画像信号に対して信号処理を施し、前記制御部は前記操作信号が前記出力音量値の増加指示であるか、音量減少指示であるかに応じて、前記操作メニューに関する情報を前記画像表示装置に表示させる時間を変化させてもよい。
上記構成によれば、信号処理部は音量調整操作信号入力部に操作信号が入力された際に、当該信号処理装置の操作メニューに関する情報を画像とともに画像表示装置に表示されるように画像信号に対して信号処理を施す。制御部は、操作信号が出力音量値の増加指示であるか、音量減少指示であるかに応じて、当該信号処理装置の操作メニューに関する情報を画像表示装置に表示させる時間を変化させるので、音量増加指示の場合と、音量減少指示の場合とで、当該信号処理装置の操作メニューに関する情報の表示時間を変更させることができる。これにより、例えば、音量増加指示の場合には、表示時間を短くし、音量減少指示の場合には通常の表示時間とすること等により、ユーザが画像表示装置に表示される画像に関心を持っていることが想定される場合には、当該信号処理装置の操作メニューに関する情報の表示時間を短くして、画面に対する視認性が阻害されるのを防止することができる。
【０００７】
上記構成において、前記制御部は前記情報を前記画像表示装置に表示させる時間を、前記操作信号が前記出力音量値の音量減少指示である場合よりも音量増加指示である場合に短くすることが好ましい。
上記構成によれば、制御部は上記各種の情報を画像表示装置に表示させる時間を、音量調整操作に係る操作信号が出力音量値の音量減少指示である場合よりも音量増加指示である場合に短くするので、音量を増加させるようにユーザが操作を行った場合はユーザが画像表示装置に表示される画像に関心を持っていることが想定されるため、音量調整操作に伴って表示される各種情報の表示時間を短くして、画面に対する視認性が阻害されるのを防止することができる。
【０００８】
また、本発明の信号処理装置の制御方法は、入力された画像信号に基づく画像を表示する画像表示装置と、入力された音声信号に基づく音声を出力する音声出力装置と、操作者により前記音声が出力される際の音量調整操作が行われる音量調整操作装置と、に接続される信号処理装置を制御するための信号処理装置の制御方法であって、前記音量調整操作装置を介して行われた音量調整操作に関する操作信号が入力される過程と、前記音量調整操作信号入力部に前記操作信号が入力された際に、前記操作信号に対応する出力音量値に関する情報が前記画像信号に基づく画像とともに前記画像表示装置に表示されるように前記画像信号に対して信号処理を施す過程と、前記音量調整操作信号入力部に入力された前記操作信号が前記音量出力装置における出力音量値の増加指示であるか、音量減少指示であるかに応じて、前記出力音量値に関する情報を前記画像表示装置に表示させる時間を変化する過程と、を備えることを特徴とする。
【０００９】
また、本発明の制御プログラムは、入力された画像信号に基づく画像を表示する画像表示装置と、入力された音声信号に基づく音声を出力する音声出力装置と、操作者により前記音声が出力される際の音量調整操作が行われる音量調整操作装置と、に接続される信号処理装置を制御するための制御プログラムであって、前記音量調整操作装置を介して行われた音量調整操作に関する操作信号の入力を受け付けさせ、前記音量調整操作信号入力部に前記操作信号が入力された際に、前記操作信号に対応する出力音量値に関する情報が前記画像信号に基づく画像とともに前記画像表示装置に表示されるように前記画像信号に対して信号処理を施させ、前記音量調整操作信号入力部に入力された前記操作信号が前記音量出力装置における出力音量値の増加指示であるか、音量減少指示であるかに応じて、前記出力音量値に関する情報を前記画像表示装置に表示させる時間を変化させること、を特徴とする。
【発明の効果】
【００１０】
本発明によれば、音量調整操作が音量増加を指示するものであるか、音量減少を指示するものであるかに応じて出力音量値に関する情報等の表示時間を変更すことができる。
【発明を実施するための最良の形態】
【００１１】
以下、図面を参照して本発明の実施の形態に係る信号処理装置を適用した車載用のカーナビゲーション装置１００について説明する。図１に本実施の形態のカーナビゲーション装置１００の機能的構成を示す。
図１に示すように、カーナビゲーション装置１００は、本体ユニット１０と、本体ユニット１０に接続される液晶表示パネル２０（画像表示装置）と、操作ユニット３０（音量調整操作装置）と、スピーカ４０（音声出力装置）とを備えている。また、本体ユニット１０には、再生対象となる画像信号や音声信号を入力する外部機器としてテレビ放送受信装置５０と、ＤＶＤ再生装置６０と、ＶＴＲ信号入力装置７０とが接続されている。カーナビゲーション装置１００は、主要機能である経路案内機能の他、外部機器によって拡張される機能として、テレビ放送受信機能、ＤＶＤ再生機能、ＶＴＲ再生機能等を備えている。
【００１２】
まず、外部機器について説明する。
テレビ放送受信装置５０は、図示しないアンテナ等を備え、アンテナを介して受信したテレビ放送信号からテレビ映像信号（画像信号）およびテレビ音声信号等を取得して、本体ユニット１０に出力するものである。テレビ放送受信装置５０が受信するテレビ放送信号としては、地上デジタル放送信号、地上波アナログテレビ放送信号、ＢＳ（Broadcasting Satellite）デジタル放送信号、ＢＳアナログテレビ放送信号等が挙げられる。
【００１３】
ＤＶＤ再生装置６０は、記録媒体としてのＤＶＤ（Digital Versatile Disk）に記録されたＤＶＤ信号をデコードして、デコードしたＤＶＤ映像信号（画像信号）およびＤＶＤ音声信号（音声信号）等を本体ユニット１０に出力するものである。
ＶＴＲ信号入力装置７０は、図示しないＶＴＲアダプタを介して信号処理装置に接続されるビデオデッキなどで、ビデオテープなどに録画されたＶＴＲ映像信号（画像信号）およびＶＴＲ音声信号（音声信号）等を読み出して本体ユニット１０に出力するものである。
【００１４】
次に、本体ユニット１０の構成について説明する。
本体ユニット１０は、図１に示すように、ナビゲーションシステム部１１と、ビデオ信号処理部１２と、音声信号処理部１３と、パワーアンプ１４と、システムマイコン１５とを備えている。
【００１５】
ナビゲーションシステム部１１は、システムマイコン１５等との協働により経路案内機能を発揮するもので、車両の現在位置情報を示すＧＰＳ（Global Positioning System）電波を受信するＧＰＳ受信ユニットや、車両の角速度を検出して、検出した角速度に応じたセンサ出力を行うジャイロセンサ、車両の加速度を検出して、検出した加速度に応じたセンサ出力を行う加速度センサ等を備える自立航法ユニットや、経路案内を行うための地図データや経路案内音声データ等の経路案内データを格納するＨＤＤ（Hard Disk Drive)等の記憶装置等を備えている。
ナビゲーションシステム部１１では、ＧＰＳ受信ユニットにおいて受信した車両の現在位置情報や自立航法ユニットにおいて測位した車両の現在位置を、地図データに基づいて液晶表示パネル２０に表示される地図上の道に自車位置を同期させる処理や、操作ユニット３０から入力される操作内容に基づいて地図データの回転、スクロール、拡大縮小等の処理を行う。
【００１６】
また、ナビゲーションシステム部１１には、外部機器から各種の画像信号が入力される。外部機器から入力された各種の画像信号に対して描画部１１ａ（ＯＳＤ処理部；On Screen Display処理部（信号処理部））により必要に応じて信号処理を施し、ビデオ信号処理部１２に出力する。
描画部１１ａは、上記記憶装置等に格納された地図データを画像データに変換するための処理を行ったり、液晶表示パネル２０に表示させ経路案内用の地図画像上や、上述した外部機器から入力された画像信号に基づいて液晶表示パネル２０に表示されるテレビ映像、ＤＶＤ映像上に出力音量値に関する情報、画像の表示に関する情報、操作キー等に関する情報を重畳して表示させるために、画像信号に対して信号処理を施すＯＳＤ処理を行ったりするものである。なお、このＯＳＤ処理については後述する。ＯＳＤ処理において、液晶表示パネル２０に表示される地図画像、テレビ映像、ＤＶＤ映像に重ねて上記各種情報を表示させる時間はシステムマイコン１５によって制御される。
ビデオ信号処理部１２は、ナビゲーションシステム部１１から入力される画像信号（地図画像信号、テレビ映像信号、ＤＶＤ映像信号等）を液晶表示パネル２０に表示させるための表示処理を行うものである。
【００１７】
音声信号処理部１３は、テレビ放送受信装置５０、ＤＶＤ再生装置６０、ＶＴＲ信号入力装置７０から入力される音声信号を増幅する増幅処理を行ったり、音質を調整したりするための各種音質制御処理を行うものである。
パワーアンプ１４は、音声信号処理部１３において音量調整が施された音声信号の増幅を行って、増幅音声信号としてスピーカ４０に出力するものである。
スピーカ４０はパワーアンプ１４から入力される増幅音声信号に基づいて音響出力を行う。
【００１８】
操作ユニット３０は、ユーザからの各種操作指示を受け付けて、システムマイコン１５に出力するもので、液晶表示パネル２０の表示画面上に配置されるタッチパネルあるいは操作子を備える。また、操作ユニット３０をリモートコントロール装置と、リモートコントロール装置からの指示信号を受光する受光部とを備える構成としてもよい。
操作ユニット３０を介して、ユーザは音量調整操作、受信するテレビ番組の選局、ＤＶＤ再生装置６０、ＶＴＲ信号入力装置７０に対する各種操作指示、ナビゲーション機能を実行させるための各種操作指示を入力することができる。
【００１９】
システムマイコン１５（音量調整操作信号入力部、制御部）は、操作ユニット３０から各種の操作信号が入力され、当該操作信号に応じて各種の処理を実行するものである。システムマイコン１５は、図示しないＣＰＵ、ＲＡＭ、ＲＯＭ等を備え、ＣＰＵはＲＯＭ等に格納された各種プログラムを読み取って、ＲＡＭに設けられるワークエリアに展開して実行することにより、当該カーナビゲーション装置１００の各種の機能を実現する。具体的には、当該カーナビゲーション装置１００の電源にＯＮ／ＯＦＦ管理や、ナビゲーションシステム部１１の状態を制御して経路案内処理を行ったり、音声信号処理部１３における音声信号処理等を行ったりなど、各種処理を制御する。
【００２０】
また、本実施の形態のカーナビゲーション装置１００では、システムマイコン１５の制御により、操作ユニット３０を介してユーザにより音量調整操作が行われた場合、この音量調整操作に連動して、液晶表示パネル２０に表示されている画像に重畳して各種の情報を表示するＯＳＤ処理を行うとともに、音量調整操作が音量増加操作であるか音量減少操作であるかに応じて各種の情報の表示時間を変化させるように制御している。
【００２１】
当該ＯＳＤ処理により液晶表示パネル２０に表示される情報として、出力音量値に関する情報が挙げられる。具体的には、図２および図３に示すように、出力音量値に関する情報は、音量調整操作が行われた出力音量値を示す数値や文字（図示例では「ｖｏｌ．５」）、音量に関する表示を行っていることを示す文字や図形（図示例では「音量」の文字と図形）、出力可能な音量範囲と、この出力音量範囲に対する現在の出力音量の大きさの割合を示すバー（図形）等の表示態様によって表示される。
【００２２】
また、当該ＯＳＤ処理では、出力音量値に関する情報の表示に加えて、液晶表示パネル２０に表示されている画像に関する情報の表示や、各種の操作メニューに関する表示が行われる。これは、カーナビゲーション装置１００は車両内に設置されるため、操作ユニット３０に設ける操作子の数や液晶表示パネル２０にタッチパネル等を介して操作可能な操作ボタンを表示可能な領域等に制約があるため、現在表示されている画像に関連した情報や操作メニューを音量調整操作に連動して表示することにより、ユーザが音量調整操作に付随して各種の操作を便宜に行うことができるようにするためである。
【００２３】
現在液晶表示パネル２０に表示されている画像に関連する情報として、具体的には次のようなものがある。例えば、現在液晶表示パネル２０に表示されている画像が、ＤＶＤ再生装置６０から入力されたＤＶＤ映像信号に基づくＤＶＤ映像であった場合、現在の時刻、や現在再生されているトラックのトラック数、当該トラックの再生開始時間からの経過時間等の表示が行われる。
また、現在映像表示パネルに表示されている画像が、当該カーナビゲーション装置１００における経路案内機能による経路案内用の地図であった場合、図３に示すように、現在の時刻等に加えて、地図上の方向（例えば、図示例では北の方向）を示す文字や記号（例えば、図示例では「Ｎ」の文字と北向きの方向を示す記号）、地図の縮尺を示す記号や文字（図示例では１００ｍの縮尺を示している）等が表示される。
また、図示は省略したが、例えば、液晶表示パネル２０にテレビ映像が表示されている場合には、受信しているチャンネルのチャンネル数や、番組名等に関する情報が表示される。
【００２４】
また、操作メニューに関する情報としては、当該カーナビゲーション装置１００が処理可能な操作メニューに関する情報が表示され、液晶表示パネル２０、操作ユニット３０、外部機器等を制御するための操作メニューを含む。
例えば、現在液晶表示パネル２０に表示されている画像が、ＤＶＤ映像であった場合、操作メニューに関する情報として、タッチパネル等を介して操作可能な操作ボタンの表示が行われる。具体的には、図２に例示するように、ＤＶＤ映像とともに表示する字幕言語の切り替えや音声言語の切り替え、アングルの切り替えなどの操作が可能な「モード」切替ボタン２１や、当該カーナビゲーション装置１００の操作メニューを表示するトップメニュー画面を呼出可能な「トップメニュー」呼出ボタン２２、ＤＶＤ再生装置６０に関する操作メニューを表示するメニュー画面を呼出可能な「メニュー」呼出ボタン２３や、ＤＶＤ映像の画面切替を操作可能な「画面切替」ボタン２４、リピート機能、スキャン再生機能等を操作可能な「機能」ボタン２５、所定のシーンを検索するための「サーチ」ボタン２６、再生、停止、一時停止を切替可能な「再生／一時停止」ボタン２７、この液晶表示パネル２０の下方に設けられた操作メニュー表示領域に表示させる操作キーの内容を切り換えるための「メニュー操作」切替ボタン２８などが表示される。
また、現在液晶表示パネル２０に表示されている画像が、経路案内用の地図であった場合、操作メニューに関する情報として、図３に例示するように、ＮＡＶＩ機能に関する操作メニューを表示するための「ＮＡＶＩ」ボタン２９Ａや、ＤＶＤ再生機能に関する操作メニューを表示するための「ＤＶＤ」ボタン２９Ｂ等が表示される。
但し、これらの音量調整操作に連動して、液晶表示パネル２０に表示される各種情報の内容は当該カーナビゲーション装置１００の動作モード（経路案内モード、ＤＶＤ再生モード、テレビ受信モード等）に応じて予め設定されている。
【００２５】
上述したＯＳＤ処理は、ユーザによる操作ユニット３０を介した音量調整操作に連動して行われるが、本実施の形態では上述したとおり、システムマイコン１５は音量増加操作であるか、音量減少操作であるかに応じて、上記各種の情報の表示時間を変化させている。
次に、当該動作の具体的な手順について説明する。図４に示すように、システムマイコン１５は操作ユニット３０から音量調整操作に関する操作信号の入力を待機する（ステップＳ１）。音量調整操作に関する操作信号の入力があった場合（ステップＳ１：Ｙ）、次に、システムマイコン１５は現在液晶表示パネル２０に所定の画像が表示されているか否かを判別する（ステップＳ２）。
ここで、所定の画像とは、音量増加操作の場合と音量減少操作の場合とでは音量調整操作に連動して各種情報を表示する際に表示時間を変更すると予め設定された画像であり、本実施の形態では経路案内用の地図画像、ＤＶＤ映像、テレビ映像、ＶＴＲ映像等を指す。
【００２６】
ステップＳ２において、現在液晶表示パネル２０に現在所定の画像を表示していると判別した場合（ステップＳ２：Ｙ）、次に、システムマイコン１５に入力された操作信号がスピーカ４０を介して外部に出力する音声の出力音量値の増加を指示するものであるか否かを判別する（ステップＳ３）。
【００２７】
ステップＳ３において、出力音量値の増加を指示するものであると判別した場合、すなわち、音量増加操作がユーザにより行われたと判別した場合（ステップＳ３：Ｙ）、システムマイコン１５は図示しない計時手段により予め設定された第一の所定の時間の計時を開始する（ステップＳ４）。
ここで、第一の所定の時間は、音量増加操作が行われた際に上記各種の情報を、現在表示中の画像と重ねて表示するための時間として予め設定された時間であり、後述する第二の所定の時間は、音量減少操作が行われた場合あるいは画像の表示を行っていない場合に上記の各種の情報を表示するための時間として予め設定された時間である。第一の所定の時間は第二の所定の時間よりも短い時間に設定される。例えば、第二の所定の時間が５〜８秒であるのに対し、当該第一の所定の時間は例えば１〜３秒に設定される。
【００２８】
第一の所定の時間の計時を開始する（ステップＳ４）のと略同時に、描画部１１ａにより画像信号に対して信号処理を施し、出力音量値に関する情報およびその他上記各種の情報を現在表示中の画像に重ねて液晶表示パネル２０に表示させる（ステップＳ５）。第一の所定の時間が経過するまで出力音量値に関する情報その他上記各種の情報を液晶表示パネル２０に表示させ、第一の所定の時間が経過すると（ステップＳ６：Ｙ）、システムマイコン１５はこれらの表示を停止させる（ステップＳ７）。
【００２９】
一方、ステップＳ２において、現在液晶表示パネル２０に所定の画像を表示中ではないと判別した場合（ステップＳ２：Ｎ）、あるいはステップＳ３において操作ユニット３０を介して行われた音量調整操作は音量減少操作であると判別した場合（ステップＳ３：Ｎ）、システムマイコン１５は予め設定された第二の所定の時間の計時を開始する（ステップＳ８）。
そして、ステップＳ５と同様に、描画部１１ａにより画像信号に対して信号処理を施させ、出力音量値に関する情報およびその他上記各種の情報を現在表示中の画像と重ねて液晶表示パネル２０に表示させる（ステップＳ９）。第二の所定の時間が経過するまで出力音量値に関する情報その他上記各種の情報を液晶表示パネル２０に表示させ、第二の所定の時間が経過すると（ステップＳ１０：Ｙ）、システムマイコン１５はこれらの表示を停止させる（ステップＳ７）。
【００３０】
以上説明した上記実施の形態によれば、本体ユニット１０は外部機器等から入力された画像信号に基づく画像を表示する液晶表示パネル２０と、外部機器等から入力された音声信号に基づく音声を出力するスピーカ４０と、ユーザ等により音量調整操作等の各種の操作が行われる操作ユニット３０とに接続されている。システムマイコン１５には操作ユニット３０を介してユーザ等により行われた音量調整操作に関する操作信号が入力される。ナビゲーションシステム部１１が有する描画部１１ａは、システムマイコン１５に音量調整操作に関する操作信号が入力された際に、液晶表示パネル２０に現在表示されている画像とともにこの音量調整操作に対応する出力音量値に関する情報やその他の各種情報が表示されるように、表示対象となる画像信号に当該情報を重ねて表示させるための信号処理を施す。この際、システムマイコン１５は、ユーザにより行われた音量調整操作が出力音量値の増加指示であるか、音量減少指示であるかに応じて、出力音量値に関する情報を画像表示装置に表示させる時間を変化させるので、音量増加指示の場合と、音量減少指示の場合とで、出力音量値に関する情報やその他の各種の情報の表示時間を第一の所定の時間と第二の所定の時間とに変更させることができる。上記実施の形態では、音量減少操作が行われた場合には第二の所定の時間だけ出力音量値に関する情報やその他各種の情報を表示し、音量増加操作が行われた場合には、第二の所定の時間よりも短かく設定された第一の所定の時間だけ上記各種の情報を表示させる。音量増加操作が行われた場合には、ユーザが画像表示装置に表示される画像に関心を持っていることが想定されるため、このような場合に、出力音量値に関する情報やその他各種の情報の表示時間を短くして、画面に対する視認性が阻害されるのを防止することができる。
【００３１】
但し、本発明は上記実施の形態に限定されるものではなく、本発明の趣旨を逸脱しない範囲において適宜変更可能であるのは勿論である。
例えば、上記実施の形態では本発明の信号処理装置を、テレビ受信機能やＤＶＤ再生機能等を備えたカーナビゲーション装置１００に適用した例を説明したが、本発明はこれに限定されるものではない。例えば、家庭用のテレビ放送受信装置５０に適用して、音量調整操作が行われたときに出力音量値に関する情報を表示する時間を、音量増加操作時と音量減少操作時とでは異なる時間となるようにしてもよい。
また、上記実施の形態では、出力音量値に関する情報とともに液晶表示パネル２０に現在表示されている画像に関する情報や操作メニューに関する情報を表示するものとして説明したが、音量調整操作に連動して上記すべての情報を表示する必要はなく、いずれかの情報であってもよいものである。
【図面の簡単な説明】
【００３２】
【図１】本発明の実施の形態の信号処理装置を含むカーナビゲーション装置の機能的構成を示すブロック図である。
【図２】液晶表示パネルの表示例を示す図である。
【図３】液晶表示パネルの他の表示例を示す図である。
【図４】本発明の実施の形態の動作の手順を示すフローチャートである。
【符号の説明】
【００３３】
１０  本体ユニット（信号処理装置）
１１  ナビゲーションシステム部
１１ａ  描画部（信号処理部）
１２  ビデオ信号処理部
１３  音声信号処理部
１４  パワーアンプ
１５  システムマイコン（音量調整操作信号入力部、制御部）
２０  液晶表示パネル（画像表示装置）
３０  操作ユニット（音量調整操作装置）
４０  スピーカ（音声出力装置）
５０、６０、７０  外部機器
【図１】
2009058845.tif 000003
【図２】
2009058845.tif 000004
【図３】
2009058845.tif 000005
【図４】
2009058845.tif 000006